(57)【要約】【課題】筐体内に電子回路基板を収容するときに、電子部品と筐体との干渉を避けることができる電子機器を提供する。【解決手段】筐体１４と、筐体１４内に収容される電子回路基板１３と、を備える電子機器１１であって、電子回路基板１３の筐体１４と対向する側の面に設けられ、電子回路基板１３の筐体１４と対向する側の面に搭載される電子部品１５の高さよりも高く形成され、電子回路基板１３が筐体１４内に収容された状態で、筐体１４の電子回路基板１３と対向する面と当接するプロテクタ３０を有する。【選択図】図１
2019149520.tif 000002
【特許請求の範囲】
【請求項１】
筐体と、
前記筐体内に収容される電子回路基板と、
を備える電子機器であって、
前記電子回路基板の前記筐体と対向する側の面に設けられ、前記電子回路基板の前記筐体と対向する側の面に搭載される電子部品の高さよりも高く形成され、前記電子回路基板が前記筐体内に収容された状態で、前記筐体の前記電子回路基板と対向する面と当接するプロテクタを有する、電子機器。
【請求項２】
請求項１に記載の電子機器であって、
前記電子回路基板は、前記筐体の開口部から一方向に挿入されて前記筐体内に収容され、
前記プロテクタは、前記電子回路基板が挿入される方向に延びる棒形状に形成される、電子機器。
【請求項３】
請求項２に記載の電子機器であって、
前記プロテクタは、前記電子回路基板を保持するとともに、前記筐体の前記開口部を閉塞するフェイスプレートに接続され、
前記プロテクタの長さは、前記フェイスプレートに対して最も遠い位置に搭載された前記電子部品と前記フェイスプレートとの間の距離よりも長い、電子機器。
【請求項４】
請求項１〜３のいずれか１項に記載の電子機器であって、
前記プロテクタは、前記筐体の前記電子回路基板と対向する面に形成された被規制部と係合する規制部を有する、電子機器。
【請求項５】
請求項１〜３のいずれか１項に記載の電子機器であって、
前記プロテクタは、前記筐体の前記電子回路基板と対向する面に形成された被規制部を磁力により吸着する規制部を有する、電子機器。
【発明の詳細な説明】
【技術分野】
【０００１】
本発明は、筐体の内部に電子回路基板が収容された電子機器に関する。
【背景技術】
【０００２】
下記特許文献１には、電子回路基板を収容する収容ケースが開示されている。
【先行技術文献】
【特許文献】
【０００３】
【特許文献１】特開２００１−２３７５５７号公報
【発明の概要】
【発明が解決しようとする課題】
【０００４】
上記特許文献１に記載の技術では、電子回路基板を収容するときに、電子回路基板に搭載された電子部品が、筐体（収容ケース）と干渉し、電子部品が損傷するおそれがある。
【０００５】
本発明は、上記の問題を解決するためになされたものであり、筐体内に電子回路基板を収容するときに、電子部品と筐体との干渉を避けることができる電子機器を提供することを目的とする。
【課題を解決するための手段】
【０００６】
本発明の態様は、筐体と、前記筐体内に収容される電子回路基板と、を備える電子機器であって、前記電子回路基板の前記筐体と対向する側の面に設けられ、前記電子回路基板の前記筐体と対向する側の面に搭載される電子部品の高さよりも高く形成され、前記電子回路基板が前記筐体内に収容された状態で、前記筐体の前記電子回路基板と対向する面と当接するプロテクタを有する。
【発明の効果】
【０００７】
本発明によれば、筐体内に電子回路基板を収容するときに、電子部品と筐体との干渉を避けることができる。
【図面の簡単な説明】
【０００８】
【図１】ＣＮＣの分解斜視図である。
【図２】ＣＮＣの分解斜視図である。
【図３】メインボードが筐体内に収容された状態のＣＮＣの側面図である。
【図４】メインボード、フェイスプレートおよびプロテクタを示す斜視図である。
【図５】プロテクタを、メインボードおよびフェイスプレートに取り付ける方法について示す図である。
【図６】図６Ａおよび図６Ｂは、プロテクタの斜視図である。
【図７】図７Ａは、プロテクタとメインボードとの接続部分を示す拡大図である。図７Ｂは、図７ＡにおけるＶＩＩＢ線−ＶＩＩＢ線断面図である。
【図８】図８Ａは、プロテクタとフェイスプレートとの接続部分を示す拡大図である。図８Ｂは、図８ＡにおけるＶＩＩＩＢ線−ＶＩＩＩＢ線断面図である。
【図９】プロテクタの規制部と筐体の被規制部の拡大図である。
【図１０】メインボード、フェイスプレートおよびプロテクタを示す斜視図である。
【図１１】プロテクタを、メインボードに取り付ける方法について示す図である。
【図１２】図１２Ａおよび図１２Ｂは、プロテクタの斜視図である。
【図１３】図１３Ａおよび図１３Ｂは、プロテクタの斜視図である。
【図１４】図１４Ａは、図１１におけるＸＩＶＡ線−ＸＩＶＡ線断面図である。図１４Ｂは、図１１におけるＸＩＶＢ線−ＸＩＶＢ線断面図である。
【図１５】メインボード、フェイスプレートおよびプロテクタを示す斜視図である。
【図１６】図１６Ａおよび図１６Ｂは、プロテクタの斜視図である。
【図１７】図１７Ａおよび図１７Ｂは、プロテクタの斜視図である。
【図１８】プロテクタを、メインボードに取り付ける方法について示す図である。
【図１９】プロテクタの斜視図である。
【図２０】プロテクタの規制部と筐体の被規制部の拡大図である。
【発明を実施するための形態】
【０００９】
〔第１の実施の形態〕
［ＣＮＣの構成］
図１および図２は、ＣＮＣ１０の分解斜視図である。図３は、メインボード１２が筐体１４内に収容された状態のＣＮＣ１０の側面図である。ＣＮＣ１０は、工作機械やワイヤ放電加工機等の制御を行う制御装置であって、筐体１４内に各種の電子部品１５が搭載された電子回路基板１３が複数枚挿入されている。ＣＮＣ１０は電子機器１１を構成する。ＣＮＣ１０の筐体１４は樹脂材料を成形することで形成され、複数の部材によって略直方体の箱型形状に形成されている。
【００１０】
以下、説明のため、図１に示すように、筐体１４の直交する各辺に沿ってＸ軸、Ｙ軸およびＺ軸を設定する。図１以降の図においても、図１のＸ軸、Ｙ軸およびＺ軸に対応するＸ軸、Ｙ軸およびＺ軸を記載している。図１〜図３では、図を見やすくするため、複数枚の電子回路基板１３のうちの１枚であるメインボード１２のみを記載している。
【００１１】
メインボード１２は、略長方形状の板部材であって、電子部品１５と、図示しない外部機器とＣＮＣ１０とを接続するための複数の第１コネクタ１６と、筐体１４内において図示しないバックボードとメインボード１２とを接続するための複数の第２コネクタ１８が搭載されている。メインボード１２のＹ軸負方向側の辺には、フェイスプレート２０が取り付けられている。メインボード１２のＹ軸負方向側には、複数の第１コネクタ１６がＸ軸方向に並んで搭載されている。メインボード１２のＹ軸正方向側には、第２コネクタ１８がＸ軸方向に並んで搭載されている。なお、図１〜図３では、メインボード１２以外の電子回路基板１３は記載していないが、メインボード１２は、筐体１４に収容される電子回路基板１３の中で、最も面積が大きい。
【００１２】
筐体１４は、Ｙ軸負方向側の側面は全体的に開口しており開口部２２を形成している。メインボード１２は、開口部２２のＺ軸負方向側寄りの位置において、Ｙ軸正方向に向かって筐体１４内に挿入されて、筐体１４内に収容される。フェイスプレート２０は、メインボード１２が筐体１４内に収容された状態で、筐体１４の開口部２２を閉塞している。フェイスプレート２０には、Ｙ軸方向に貫通する貫通孔２４（図４）が複数形成されており、この貫通孔２４から第１コネクタ１６が外部に露出している。
【００１３】
図４は、メインボード１２、フェイスプレート２０およびプロテクタ３０を示す斜視図である。図５は、プロテクタ３０を、メインボード１２およびフェイスプレート２０に取り付ける方法について示す図である。図６Ａおよび図６Ｂは、プロテクタ３０の斜視図である。図７Ａは、プロテクタ３０とメインボード１２との接続部分を示す拡大図である。図７Ｂは、図７ＡにおけるＶＩＩＢ線−ＶＩＩＢ線断面図である。図８Ａは、プロテクタ３０とフェイスプレート２０との接続部分を示す拡大図である。図８Ｂは、図７ＡにおけるＶＩＩＩＢ線−ＶＩＩＩＢ線断面図である。ここで、メインボード１２のＺ軸正方向側の面を表面５０とし、Ｚ軸負方向側の面を裏面５２とする。メインボード１２の裏面５２と対向する筐体１４の面を内側側面２６とする。
【００１４】
メインボード１２の裏面５２には、プロテクタ３０が設けられている。プロテクタ３０は、メインボード１２に取り付けられた状態で、Ｙ軸方向に延びる棒形状の部材として形成されている。プロテクタ３０は、Ｘ軸方向に離間して２本設けられている。プロテクタ３０のＺ軸方向の高さは、メインボード１２の裏面５２に搭載された電子部品１５のＺ軸方向の高さよりも高く形成されている。また、プロテクタ３０のＺ軸方向の高さは、プロテクタ３０が取り付けられたメインボード１２が、筐体１４内に収容された状態で、プロテクタ３０のＺ軸負方向側の側面が、筐体１４の内側側面２６に当接するように形成されている。
【００１５】
プロテクタ３０は、裏面５２に搭載された電子部品１５のうち、Ｙ軸方向に対してフェイスプレート２０から最も遠い位置に搭載された電子部品１５と、フェイスプレート２０との距離よりも、プロテクタ３０のＹ軸方向長さが長くなるように形成されている。
【００１６】
筐体１４の内側側面２６は、筐体１４の成形時の残応力によって、筐体１４の内側に向かって変形する反りが発生することがある。メインボード１２が筐体１４に挿入されるときに、プロテクタ３０のＺ軸負方向側の側面が、筐体１４の内側側面２６に当接しながら移動するため、内側側面２６の反りを、平面状となるように矯正する。
【００１７】
図５に示すように、プロテクタ３０はメインボード１２に対してＹ軸正方向側から取り付けられる。プロテクタ３０のＹ軸正方向側の端部はメインボード１２に係合され、プロテクタ３０のＹ軸負方向側の端部はフェイスプレート２０に係合される。これにより、図４のように、プロテクタ３０はフェイスプレート２０とメインボード１２に固定される。
【００１８】
プロテクタ３０のＹ軸正方向側端部には、図７Ａおよび図７Ｂに示すように、Ｚ軸正方向に向かって延びる係合部３２が形成されている。係合部３２のＹ軸負方向側の側面には溝部３４が形成されている。メインボード１２のＹ軸正方向側の辺には、一部が切り欠かれた切欠部５４が形成されている。切欠部５４のＹ軸負方向側の端部には、切欠部５４よりもＸ軸方向の幅が短い小切欠部５６が形成されている。プロテクタ３０の溝部３４が、メインボード１２の小切欠部５６に、Ｙ軸負方向に向かって挿入されて、溝部３４が小切欠部５６に係合する。
【００１９】
プロテクタ３０のＹ軸負方向側の端部には、スナップフィット３６が形成されている。スナップフィット３６は、図８Ａに示すように略Ｙ字状に延びる第１腕部３８が形成されている。第１腕部３８の先端には、内側に突出する第１鉤部４０が形成されている。フェイスプレート２０のＹ軸正方向側の側面には、Ｙ軸正方向に向かって突出する突出部７０が形成されている。突出部７０の根元部分には、他の部分よりも幅が狭いくびれ部７２が形成されている。プロテクタ３０の第１鉤部４０が、フェイスプレート２０の突出部７０に形成されたくびれ部７２に係合することにより、プロテクタ３０のフェイスプレート２０に対するＹ軸方向の動きが規制される。
【００２０】
プロテクタ３０の第１腕部３８の股部分には、図８Ｂに示すように、Ｙ軸負方向側に延出して形成される延出部４２が、Ｚ軸方向に離間して２か所に形成されている。２か所の延出部４２の間に、フェイスプレート２０の突出部７０の先端が挿入される。これによって、プロテクタ３０のＹ軸負方向側端部のＺ軸方向の動きが規制される。
【００２１】
図６Ａおよび図６Ｂに示すように、プロテクタ３０のＹ軸方向の中間部の２か所に、規制部４４が形成されている。規制部４４は、Ｘ軸方向の幅がプロテクタ３０の他の部分よりも広く形成され、Ｚ軸方向の高さがプロテクタ３０の他の部分よりも低く形成されている。
【００２２】
図９は、プロテクタ３０の規制部４４と筐体１４の被規制部７４の拡大図である。被規制部７４は、筐体１４の内側側面２６に形成されている。被規制部７４をＹ軸方向から見ると、被規制部７４は、Ｘ軸方向に離間して２か所に形成され、内側側面２６からＺ軸正方向に延びる縦壁部７６と、縦壁部７６の先端から、２つの縦壁部７６の内側に向かって延びる横壁部７８とから構成されている。２つの横壁部７８の先端はＸ軸方向に離間して設けられている。
【００２３】
メインボード１２が筐体１４内に挿入されると、内側側面２６の被規制部７４に、プロテクタ３０の規制部４４が挿入される。このとき、プロテクタ３０の棒形状部分が、被規制部７４の２つの横壁部７８の間に挿入されている。筐体１４の内側側面２６は、筐体１４の温度上昇によって、筐体１４の外側に向かって変形する反りが発生することがある。筐体１４の外側に向かって変形する内側側面２６の反りが発生すると、被規制部７４にプロテクタ３０の規制部４４が当接して、内側側面２６の反りを抑制する。
【００２４】
［作用効果］
筐体１４は樹脂材料を成形することで形成されているため、成形時の残応力によって筐体１４の側面に、内側に向かって変形する反りが発生することがある。他の電子回路基板１３に比べて面積が大きいメインボード１２が挿入される筐体１４の開口部２２のＺ軸負方向側部分は、Ｘ軸方向において両端部にのみ壁部が設けられるため、内側側面２６はＸ軸方向両端部のみが壁部によって支持されている。そのため、特に内側側面２６に、他の筐体１４の側面に比べて、筐体１４の内側に変形する反りが発生しやすかった。内側側面２６に内側に変形する反りが発生すると、筐体１４に対するメインボード１２の挿抜時に、電子回路基板１３に搭載された電子部品１５と筐体１４の側面とが干渉して、電子部品１５が損傷するおそれがある。
【００２５】
そこで、本実施の形態のＣＮＣ１０では、メインボード１２の裏面５２にプロテクタ３０を設け、このプロテクタ３０のＺ軸方向の高さを、メインボード１２に搭載される電子部品１５の高さよりも高く形成した。さらに、メインボード１２が筐体１４内に収容された状態で、プロテクタ３０が筐体１４の内側側面２６と当接するようにした。これにより、筐体１４に対してメインボード１２が挿入されるときに、プロテクタ３０が内側に変形した内側側面２６の反りを矯正することができるため、筐体１４に対するメインボード１２の挿抜時に、メインボード１２に搭載された電子部品１５と筐体１４の側面とが干渉することを抑制することができる。
【００２６】
また、本実施の形態のＣＮＣ１０では、プロテクタ３０は、Ｙ軸方向に延びる棒形状に形成されている。これにより、筐体１４に対してメインボード１２が挿入されるにしたがって、プロテクタ３０は、筐体１４の内側に変形した内側側面２６の反りを全体的に矯正することができる。
【００２７】
また、本実施の形態のＣＮＣ１０では、プロテクタ３０は、裏面５２に搭載された電子部品１５のうち、Ｙ軸方向に対してフェイスプレート２０から最も遠い位置に搭載された電子部品１５と、フェイスプレート２０との距離よりも、プロテクタ３０のＹ軸方向長さが長くなるように形成されている。これにより、メインボード１２に搭載された電子部品１５と筐体１４との干渉を抑制することができる。
【００２８】
また、本実施の形態のＣＮＣ１０では、プロテクタ３０は、内側側面２６に形成された被規制部７４と係合する規制部４４を有する。電子部品１５が発熱すると、筐体１４内の温度が上昇し、内側側面２６に筐体１４の外側に変形する反りが発生することがある。内側側面２６に反りが発生すると、内側側面２６の被規制部７４にプロテクタ３０の規制部４４が当接して、内側側面２６の反りを抑制することができる。
【００２９】
なお、プロテクタ３０の本数は２本に限らない。また、プロテクタ３０がメインボード１２上に配置される位置は適宜変更すればよい。また、プロテクタ３０は、メインボード１２の他の電子回路基板１３にも取り付けられていてもよい。
【００３０】
〔第２の実施の形態〕
図１０は、メインボード１２、フェイスプレート２０およびプロテクタ３０を示す斜視図である。図１１は、プロテクタ３０を、メインボード１２に取り付ける方法について示す図である。図１２Ａおよび図１２Ｂは、プロテクタ３０（第１プロテクタ３０ａ）の斜視図である。図１３Ａおよび図１３Ｂは、プロテクタ３０（第２プロテクタ３０ｂ）の斜視図である。図１４Ａは、図１１におけるＸＩＶＡ線−ＸＩＶＡ線断面図である。図１４Ｂは、図１１におけるＸＩＶＢ線−ＸＩＶＢ線断面図である。
【００３１】
メインボード１２の裏面５２には、プロテクタ３０が設けられている。プロテクタ３０は、メインボード１２に取り付けられた状態で、Ｘ軸方向に延びる棒形状の部材として形成されている。プロテクタ３０は、Ｙ軸方向に離間して３本設けられている。プロテクタ３０のＺ軸方向の高さは、メインボード１２の裏面５２に搭載された電子部品１５のＺ軸方向の高さよりも高く形成されている。また、プロテクタ３０のＺ軸方向の高さは、プロテクタ３０が取り付けられたメインボード１２が、筐体１４内に収容された状態で、プロテクタ３０のＺ軸負方向側の側面が、筐体１４の内側側面２６に当接するように形成されている。
【００３２】
最もＹ軸正方向側に設けられたプロテクタ３０は、最もＹ軸正方向側に搭載されている電子部品１５よりも、Ｙ軸正方向側に位置するように設けられている。メインボード１２が筐体１４に挿入されるときに、プロテクタ３０のＺ軸負方向側の側面が、筐体１４の内側側面２６に当接しながら移動するため、筐体１４の内側に向かって変形した内側側面２６の反りを、平面状となるように矯正する。
【００３３】
図１１に示すように、プロテクタ３０はメインボード１２に対してＸ軸正方向側から取り付けられる。プロテクタ３０のＸ軸正方向側の端部およびＸ軸負方向側の端部はそれぞれメインボード１２に係合される。これにより、図１０のように、プロテクタ３０はメインボード１２に固定される。
【００３４】
プロテクタ３０のＸ軸正方向側の端部には、図１４Ａに示すように、Ｚ軸正方向に向かって延びる係合部３２が形成されている。係合部３２のＸ軸負方向側の側面には溝部３４が形成されている。メインボード１２のＸ軸正方向側の辺には、一部が切り欠かれた切欠部５４が形成されている。切欠部５４のＸ軸負方向側の端部には、切欠部５４よりもＹ軸方向の幅が短い小切欠部５６が形成されている。なお、小切欠部５６は、図１１および図１２Ａおよび図１２Ｂには記載されていないが、形成されている位置は異なるものの、第１の実施の形態の図５に示す小切欠部５６と同形状のものが形成されている。プロテクタ３０の溝部３４が、メインボード１２の小切欠部５６に、Ｙ軸負方向に向かって挿入されて、溝部３４が小切欠部５６に係合する。
【００３５】
プロテクタ３０のＸ軸負方向側の端部には、スナップフィット４６が形成されている。スナップフィット４６は、図１４Ｂに示すように、Ｚ軸正方向に向かって延びる第２腕部４８が形成されている。第２腕部４８の先端には、Ｚ軸正方向に向かって突出する第２鉤部５８が形成されている。プロテクタ３０の係合部３２をメインボード１２に係合させた状態で、プロテクタ３０のスナップフィット４６部分がＺ軸正方向側に押圧されることによって、第２鉤部５８はメインボード１２の表面５０と係合される。
【００３６】
プロテクタ３０は、形状が異なる２種類の第１プロテクタ３０ａと第２プロテクタ３０ｂを有する。メインボード１２に取り付けられた３本のプロテクタ３０のうち、Ｙ軸負方向側の１本が第１プロテクタ３０ａであり、その他の２本が第２プロテクタ３０ｂである。
【００３７】
図１２Ａおよび図１２Ｂに示すように、第１プロテクタ３０ａは、第１プロテクタ３０ａのＸ軸方向の中間部の２か所に、規制部４４が形成されている。規制部４４は、Ｘ軸方向の幅が第１プロテクタ３０ａの他の部分よりも広く形成され、Ｚ軸方向の高さがプロテクタ３０の他の部分よりも低く形成されている。第１の実施の形態と同様に、筐体１４の内側側面２６には被規制部７４が形成されている。メインボード１２が筐体１４内に挿入されると、内側側面２６の被規制部７４に、第１プロテクタ３０ａの規制部４４が挿入される。筐体１４の外側に向かって変形する内側側面２６の反りが発生すると、被規制部７４にプロテクタ３０の規制部４４が当接して、反りを抑制する。
【００３８】
図１３Ａおよび図１３Ｂに示すように、第２プロテクタ３０ｂは、第２プロテクタ３０ｂのＸ軸方向の中間部の２か所に、Ｚ軸負方向側側面を切り欠いた逃げ部６０が形成されている。この逃げ部６０により、メインボード１２が筐体１４内に挿入されるときの、第２プロテクタ３０ｂと被規制部７４との干渉を避けるようにしている。
【００３９】
［作用効果］
本実施の形態のＣＮＣ１０では、メインボード１２の裏面５２にプロテクタ３０を設け、このプロテクタ３０のＺ軸方向の高さを、メインボード１２に搭載される電子部品１５の高さよりも高く形成した。さらに、メインボード１２が筐体１４内に収容された状態で、プロテクタ３０が筐体１４の内側側面２６と当接するようにした。これにより、筐体１４に対してメインボード１２が挿入されるときに、プロテクタ３０が内側に変形した内側側面２６の反りを矯正することができるため、筐体１４に対するメインボード１２の挿抜時に、メインボード１２に搭載された電子部品１５と筐体１４の側面とが干渉することを抑制することができる。
【００４０】
また、本実施の形態のＣＮＣ１０では、プロテクタ３０は、Ｘ軸方向に延びる棒形状に形成されている。これにより、プロテクタ３０は、内側に変形した内側側面２６の反りをＸ軸方向の全域にわたって矯正することができる。
【００４１】
なお、プロテクタ３０の本数は３本に限らない。また、プロテクタ３０がメインボード１２上に配置される位置は適宜変更すればよい。また、プロテクタ３０は、メインボード１２の他の電子回路基板１３にも取り付けられていてもよい。
【００４２】
〔第３の実施の形態〕
図１５は、メインボード１２、フェイスプレート２０およびプロテクタ３０を示す斜視図である。図１６Ａおよび図１６Ｂは、プロテクタ３０（第３プロテクタ３０ｃ）の斜視図である。図１７Ａおよび図１７Ｂは、プロテクタ３０（第４プロテクタ３０ｄ）の斜視図である。図１８は、プロテクタ３０を、メインボード１２に取り付ける方法について示す図である。
【００４３】
メインボード１２の裏面５２には、６個のプロテクタ３０が設けられている。プロテクタ３０のＺ軸方向の高さは、メインボード１２の裏面５２に搭載された電子部品１５のＺ軸方向の高さよりも高く形成されている。また、プロテクタ３０のＺ軸方向の高さは、プロテクタ３０が取り付けられたメインボード１２が、筐体１４内に収容された状態で、プロテクタ３０のＺ軸負方向側の側面が、筐体１４の内側側面２６に当接するように形成されている。
【００４４】
最もＹ軸正方向側に設けられたプロテクタ３０は、最もＹ軸正方向側に搭載されている電子部品１５よりも、Ｙ軸正方向側に位置するように設けられている。メインボード１２が筐体１４に挿入されるときに、プロテクタ３０のＺ軸負方向側の側面が、筐体１４の内側側面２６に当接しながら移動するため、筐体１４の内側に向かって変形した内側側面２６の反りを、平面状となるように矯正する。
【００４５】
プロテクタ３０は、形状が異なる２種類の第３プロテクタ３０ｃと第４プロテクタ３０ｄを有する。メインボード１２に取り付けられた６個のプロテクタ３０のうち、Ｙ軸負方向側に取り付けられた２個が第３プロテクタ３０ｃであり、その他の４個が第４プロテクタ３０ｄである。
【００４６】
図１６Ａおよび図１６Ｂに示すように、第３プロテクタ３０ｃは、スナップフィット６１、小径部６２および規制部６４を有している。スナップフィット６１は、Ｚ軸正方向に向かって延びる第３腕部６６が形成されている。第３腕部６６の先端には、外周側に向かって突出する第３鉤部６８が形成されている。
【００４７】
スナップフィット６１のＺ軸負方向側には、小径部６２が形成されている。第１の実施の形態と同様に、筐体１４の内側側面２６には被規制部７４が形成されている。小径部６２の径は、筐体１４の内側側面２６に形成された被規制部７４の２つの横壁部７８の間の距離よりも小さく形成されている。規制部６４の径は、被規制部７４の２つの横壁部７８の間の距離よりも大きく形成されている。メインボード１２が筐体１４内に挿入されると、内側側面２６の被規制部７４に、第３プロテクタ３０ｃの規制部６４が挿入される。筐体１４の外側に向かって変形する内側側面２６の反りが発生すると、被規制部７４に第３プロテクタ３０ｃの規制部６４が当接して、反りを抑制する。
【００４８】
図１７Ａおよび図１７Ｂに示すように、第４プロテクタ３０ｄは、スナップフィット６１および円筒部７１を有している。スナップフィット６１は、第３プロテクタ３０ｃのスナップフィット６１と同形状に形成されている。円筒部７１の径は、筐体１４の内側側面２６に形成された被規制部７４の２つの横壁部７８の間の距離よりも小さく形成されている。
【００４９】
図１８に示すように、メインボード１２には、Ｚ軸方向に貫通する貫通孔７３が６箇所形成されている。各貫通孔７３に第３プロテクタ３０ｃおよび第４プロテクタ３０ｄのスナップフィット６１が挿入されて、第３プロテクタ３０ｃおよび第４プロテクタ３０ｄがＺ軸正方向側に押圧されることによって、第３鉤部６８はメインボード１２の表面５０と係合される。
【００５０】
なお、プロテクタ３０の個数は６個に限らない。また、プロテクタ３０は、保護すべき電子部品１５の近傍に配置されていればよく、プロテクタ３０がメインボード１２上に配置される位置は適宜変更すればよい。また、プロテクタ３０は、メインボード１２の他の電子回路基板１３にも取り付けられていてもよい。
【００５１】
［作用効果］
本実施の形態のＣＮＣ１０では、メインボード１２の裏面５２にプロテクタ３０を設け、このプロテクタ３０のＺ軸方向の高さを、メインボード１２に搭載される電子部品１５の高さよりも高く形成した。さらに、メインボード１２が筐体１４内に収容された状態で、プロテクタ３０が筐体１４の内側側面２６と当接するようにした。これにより、筐体１４に対してメインボード１２が挿入されるときに、プロテクタ３０が内側に変形した内側側面２６の反りを矯正することができるため、筐体１４に対するメインボード１２の挿抜時に、メインボード１２に搭載された電子部品１５と筐体１４の側面とが干渉することを抑制することができる。
【００５２】
〔第４の実施の形態〕
図１９は、プロテクタ３０の斜視図である。図２０は、プロテクタ３０の規制部４４と筐体１４の被規制部７５の拡大図である。
【００５３】
本実施の形態のプロテクタ３０自体の形状は、第１の実施の形態のプロテクタ３０と同じであるが、規制部４４のＺ軸負方向側の側面に磁石８０が設けられている。また、本実施の形態の被規制部７５は、第１の実施の形態の筐体１４の内側側面２６に被規制部７４が形成されていた箇所に被規制部７５として磁石８２が設けられている。
【００５４】
メインボード１２が筐体１４内に挿入されると、内側側面２６の被規制部７５の磁石８２とプロテクタ３０の規制部４４の磁石８０とが、磁力により互いに吸引し合う。これにより、筐体１４の外側に向かって変形する内側側面２６の反りを抑制する。
【００５５】
［作用効果］
本実施の形態のＣＮＣ１０では、プロテクタ３０の規制部６４が、筐体１４の内側側面２６の被規制部７４を磁力により吸着するようにした。これにより、プロテクタ３０は規制部４４が内側側面２６の被規制部７５を吸着し、筐体１４の外側に向かって変形する内側側面２６の反りを抑制することができる。
【００５６】
〔実施の形態から得られる技術的思想〕
上記実施の形態から把握しうる技術的思想について、以下に記載する。
【００５７】
筐体（１４）と、前記筐体（１４）内に収容される電子回路基板（１３）と、を備える電子機器（１１）であって、前記電子回路基板（１３）の前記筐体（１４）と対向する側の面に設けられ、前記電子回路基板（１３）の前記筐体（１４）と対向する側の面に搭載される電子部品（１５）の高さよりも高く形成され、前記電子回路基板（１３）が前記筐体（１４）内に収容された状態で、前記筐体（１４）の前記電子回路基板（１３）と対向する面と当接するプロテクタ（３０）を有する。これにより、筐体（１４）に対してメインボード（１２）が挿入されるときに、プロテクタ（３０）が内側に変形した内側側面（２６）の反りを矯正することができるため、筐体（１４）に対するメインボード（１２）の挿抜時に、メインボード（１２）に搭載された電子部品（１５）と筐体（１４）の側面とが干渉することを抑制することができる。
【００５８】
上記の電子機器（１１）であって、前記電子回路基板（１３）は、前記筐体（１４）の開口部（２２）から一方向に挿入されて前記筐体（１４）内に収容され、前記プロテクタ（３０）は、前記電子回路基板（１３）が挿入される方向に延びる棒形状に形成されてもよい。これにより、筐体（１４）に対してメインボード（１２）が挿入されるにしたがって、プロテクタ（３０）は、筐体（１４）の内側に変形した内側側面（２６）の反りを全体的に矯正することができる。
【００５９】
上記の電子機器（１１）であって、前記プロテクタ（３０）は、前記電子回路基板（１３）を保持するとともに、前記筐体（１４）の前記開口部（２２）を閉塞するフェイスプレート（２０）に接続され、前記プロテクタ（３０）の長さは、前記フェイスプレート（２０）に対して最も遠い位置に搭載された前記電子部品（１５）と前記フェイスプレート（２０）との間の距離よりも長くてもよい。これにより、メインボード（１２）に搭載されたすべての電子部品（１５）と筐体（１４）との干渉を抑制することができる。
【００６０】
上記の電子機器（１１）であって、前記プロテクタ（３０）は、前記筐体（１４）の前記電子回路基板（１３）と対向する面に形成された被規制部（７４）と係合する規制部（４４、６４）を有してもよい。これにより、内側側面（２６）に筐体（１４）の外側に変形する反りが発生すると、内側側面（２６）の被規制部（７４）にプロテクタ（３０）の規制部（４４）が当接して、内側側面（２６）の反りを抑制することができる。
【００６１】
上記の電子機器（１１）であって、前記プロテクタ（３０）は、前記筐体（１４）の前記電子回路基板（１３）と対向する面に形成された被規制部（７５）を磁力により吸着する規制部（４４）を有してもよい。これにより、プロテクタ（３０）は規制部（６４）が内側側面（２６）の被規制部（７５）を吸着し、筐体（１４）の外側に向かって変形する内側側面（２６）の反りを抑制することができる。
【符号の説明】
【００６２】
１１…電子機器                          １３…電子回路基板
１４…筐体                              １５…電子部品
２０…フェイスプレート                  ３０…プロテクタ
４４、６４…規制部                      ７４、７５…被規制部
【図１】
2019149520.tif 000003
【図２】
2019149520.tif 000004
【図３】
2019149520.tif 000005
【図４】
2019149520.tif 000006
【図５】
2019149520.tif 000007
【図６】
2019149520.tif 000008
【図７】
2019149520.tif 000009
【図８】
2019149520.tif 000010
【図９】
2019149520.tif 000011
【図１０】
2019149520.tif 000012
【図１１】
2019149520.tif 000013
【図１２】
2019149520.tif 000014
【図１３】
2019149520.tif 000015
【図１４】
2019149520.tif 000016
【図１５】
2019149520.tif 000017
【図１６】
2019149520.tif 000018
【図１７】
2019149520.tif 000019
【図１８】
2019149520.tif 000020
【図１９】
2019149520.tif 000021
【図２０】
2019149520.tif 000022